(57)【要約】【課題】本発明は、アクセスノード及びＶ５インターフェース接続を起動する方法を提供する。【解決手段】本発明のアクセスノードは、Ｖ５インターフェースと、第一タイマー及び第一検出モジュールを含む。また、本発明は、前記Ｖ５インターフェース接続を起動する方法を提供する。前記アクセスノード及び前記Ｖ５インターフェース接続を起動する方法は、第一タイマーを用いて前記Ｖ５インターフェース接続の起動をコントロールすることにより、アクセスノードとローカル交換機の間の接続を成功裏に起動することを確保できる。【選択図】図２
2007300635.tif 000002
【特許請求の範囲】
【請求項１】
ローカル交換機に接続されるアクセスノードにおいて、
アクセスノードとローカル交換機の間のＶ５インターフェース接続を起動するＶ５インターフェースと、
該Ｖ５インターフェース接続が起動されると共に、第一タイミング周期により、時間計測を開始し、且つ第一タイミング検出モジュールを備える第一タイマーと、
前記アクセスノードが第一タイミング周期において変量とインターフェース識別子情報とを受信するかどうかを検出し、且つ前記Ｖ５インターフェース接続が成功するかどうかを検出する第一検出モジュールと、を含み、
前記第一タイミング検出モジュールは、前記アクセスノードが前記変量と前記インターフェース識別子情報とを受信しなかった時に、前記第一タイマーがタイムアウトするかどうかを検出することを特徴とするアクセスノード。
【請求項２】
前記アクセスノードは、
前記アクセスノードが前記変量と前記インターフェース識別子情報とを受信した後、第二タイミング周期により、時間計測を開始する第二タイマーをさらに含み、
該第二タイマーは、第二タイマーがタイムアウトするかどうかを検出する第二タイミング検出モジュールを含むことを特徴とする請求項１に記載のアクセスノード。
【請求項３】
前記第一検出モジュールは、
前記第二タイミング周期の内で、前記Ｖ５インターフェース接続が成功するかどうかをさらに検出することを特徴とする請求項２に記載のアクセスノード。
【請求項４】
前記アクセスノードは、
前記第一タイマーまたは前記第二タイマーがタイムアウトした時に、前記アクセスノードの接続層が正常に作動するかどうかを検出する第二検出モジュールと、
前記アクセスノードの接続層が正常に作動する時に、前記アクセスノードがアンブロック完了情報を前記ローカル交換機に送信したかどうかを検出する第三検出モジュールと、
をさらに含むことを特徴とする請求項１または請求項２に記載のアクセスノード。
【請求項５】
前記アクセスノードは、
前記アクセスノードがアンブロック完了情報を前記ローカル交換機に送信した時に、再起動を請求する情報を前記ローカル交換機に送信する情報処理モジュールをさらに含むことを特徴とする請求項４に記載のアクセスノード。
【請求項６】
前記情報処理モジュールは、
前記アクセスノードがアンブロック完了情報を送信しなかった時に、アンブロック完了情報を前記ローカル交換機に送信することを特徴とする請求項５に記載のアクセスノード。
【請求項７】
前記アクセスノードは、
前記アクセスノードの接続層が正常に作動するかどうかを検出することが前記第一タイマーにトリガされる時に、前記第一タイマーを再起動し、前記第一タイミング周期により、時間計測を開始するタイマー再起動モジュールをさらに含むことを特徴とする請求項５に記載のアクセスノード。
【請求項８】
前記タイマー再起動モジュールは、
前記アクセスノードの接続層が正常に作動するかどうかを検出することが前記第一タイマーにトリガされない時に、前記第二タイマーを再起動し、時間計測を開始することを特徴とする請求項７に記載のアクセスノード。
【請求項９】
前記第一タイミング周期は、前記第二タイミング周期より長いことを特徴とする請求項２に記載のアクセスノード。
【請求項１０】
前記第一タイミング周期は、１９０秒であることを特徴とする請求項９に記載のアクセスノード。
【請求項１１】
前記第二タイミング周期は、３０秒であることを特徴とする請求項９に記載のアクセスノード。
【請求項１２】
ローカル交換機に接続するアクセスノードに用いられるＶ５インターフェース接続を起動する方法において、
Ｖ５インターフェース接続を起動するステップと、
第一タイマーを起動し、第一タイミング周期により時間計測を開始するステップと、前記アクセスノードが変量とインターフェース識別子情報とを受信するかどうかを検出するステップと、
前記変量と前記インターフェース識別子情報とを受信しなかった時に、前記第一タイマーがタイムアウトするかどうかを検出するステップと、
前記第一タイマーがタイムアウトしなかったら、前記Ｖ５インターフェース接続が成功するかどうかを検出するステップと、
前記Ｖ５インターフェース接続が成功しなかったら、前記第一タイマーがタイムアウトするかどうかを続けて検出するステップと、
を含むことを特徴とするＶ５インターフェース接続の起動方法。
【請求項１３】
前記Ｖ５インターフェース接続の起動方法は、
前記Ｖ５インターフェース接続が成功したら、前記第一タイマーが時間計測を停止するステップをさらに含むことを特徴とする請求項１２に記載のＶ５インターフェース接続の起動方法。
【請求項１４】
前記Ｖ５インターフェース接続の起動方法は、
前記変量と前記インターフェース識別子情報とを受信したら、前記第一タイマーが時間計測を停止するステップと、
第二タイマーを起動し、第二タイミング周期により時間計測を開始するステップと、
前記第二タイマーがタイムアウトするかどうかを検出するステップと、
前記第二タイマーがタイムアウトしなかったら、前記Ｖ５インターフェース接続が成功するかどうかを検出するステップと、
前記Ｖ５インターフェース接続が成功しなかったら、前記第二タイマーがタイムアウトするかどうかを続けて検出するステップと、
をさらに含むことを特徴とする請求項１２に記載のＶ５インターフェース接続の起動方法。
【請求項１５】
前記Ｖ５インターフェース接続の起動方法は、
前記Ｖ５インターフェース接続が成功したら、前記第二タイマーが時間計測を停止するステップをさらに含むことを特徴とする請求項１４に記載のＶ５インターフェース接続の起動方法。
【請求項１６】
前記Ｖ５インターフェース接続の起動方法は、
前記第二タイマーがタイムアウトしたら、前記アクセスノードの接続層が正常に作動するかどうかを検出するステップと、
前記アクセスノードの接続層が正常に作動したら、前記アクセスノードがアンブロック完了情報を前記ローカル交換機に送信したかどうかを検出するステップと、
前記アクセスノードがアンブロック完了情報を前記ローカル交換機に送信したら、再起動情報を前記ローカル交換機に送信するステップと、
前記第二タイマーを再起動するステップと、
を含むことを特徴とする請求項１４に記載のＶ５インターフェース接続の起動方法。
【請求項１７】
前記Ｖ５インターフェース接続の起動方法は、
前記アクセスノードがアンブロック完了情報を前記ローカル交換機に送信しなかったら、該アンブロック完了情報を前記ローカル交換機に送信するステップをさらに含むことを特徴とする請求項１６に記載のＶ５インターフェース接続の起動方法。
【請求項１８】
前記Ｖ５インターフェース接続の起動方法は、
前記アクセスノードの接続層が正常に作動できなければ、前記第二タイマーを直接に再起動するステップをさらに含むことを特徴とする請求項１６に記載のＶ５インターフェース接続の起動方法。
【請求項１９】
前記Ｖ５インターフェース接続の起動方法は、
前記第二タイミング周期は、前記第一タイミング周期より短いことを特徴とする請求項１４に記載のＶ５インターフェース接続の起動方法。
【請求項２０】
前記Ｖ５インターフェース接続の起動方法は、
前記第一タイマーがタイムアウトしたら、前記アクセスノードの接続層が正常に作動するかどうかを検出するステップと、
前記アクセスノードの接続層が正常に作動したら、前記アクセスノードが前記アンブロック完了情報を前記ローカル交換機に送信したかどうかを検出するステップと、
前記アクセスノードが前記アンブロック完了情報を前記ローカル交換機に送信したら、再起動情報を前記ローカル交換機に送信するステップと、
前記第一タイマーを再起動するステップと、
をさらに含むことを特徴とする請求項１２に記載のＶ５インターフェース接続の起動方法。
【請求項２１】
前記Ｖ５インターフェース接続の起動方法は、
前記アクセスノードの接続層が正常に作動できなければ、前記第一タイマーを直接に再起動するステップをさらに含むことを特徴とする請求項２０に記載のＶ５インターフェース接続の起動方法。
【発明の詳細な説明】
【技術分野】
【０００１】
本発明は、ネットワーク装置及びその接続方法に関し、特にアクセスノード及びＶ５インターフェース接続を起動する方法に関するものである。
【背景技術】
【０００２】
従来のユーザーのアクセスネットワークにおいて、ネットワーク装置がＶ５インターフェース接続を用いて、通信をし、公共交換電話ネットワーク（Ｐｕｂｌｉｃ  Ｓｗｉｔｃｈｅｄ  Ｔｅｌｅｐｈｏｎｅ  Ｎｅｔｗｏｒｋ，ＰＳＴＮ）または総合サービスディジタル網（Ｉｎｔｅｇｒａｔｅｄ  Ｓｅｒｖｉｃｅｓ  Ｄｉｇｉｔａｌ  Ｎｅｔｗｏｒｋ  ＩＳＤＮ）に関する業務を処理する。例えば、ローカル交換機（ｌｏｃａｌ  ｅｘｃｈａｎｇｅ）とユーザー端末の間の通信である。
【０００３】
アクセスネットワークの通信過程において、常に非確定の原因によって異常状態が発生し、ユーザー端末の正常な作動に影響を与える。例えば、アクセスノードまたはローカル交換において、異常が発生すると、Ｖ５インターフェース接続が正常に起動できなくなる。前記アクセスノードまたは前記ローカル交換機は非同一の周波数で作動する。もし前記Ｖ５インターフェース接続に異常状態が発生すると、該Ｖ５インターフェース接続を再起動する。しかし、前記アクセスノード及び前記ローカル交換機を再起動することは、非同一の周波数のもとで進行するから、同期を保証できなく、再起動が成功することも保証できない。アクセスノード及びローカル交換機の周波数を更新することも不便な仕事である。
【発明の開示】
【発明が解決しようとする課題】
【０００４】
本発明の目的は、前述の問題を解決し、アクセスノードとローカル交換機の間のＶ５インターフェース接続を成功裏に起動するために、アクセスノードを提供することである。また、Ｖ５インターフェース接続を起動する方法を提供し、アクセスノードとローカル交換機の間のＶ５インターフェース接続を成功裏に起動することが実現する。
【課題を解決するための手段】
【０００５】
本発明のアクセスノードは、ローカル交換機に接続する。該アクセスノードは、Ｖ５インターフェースと、第一タイマー及び第一検出モジュールを含む。前記Ｖ５インターフェースは、該アクセスノードとローカル交換機の間のＶ５インターフェース接続を起動することに用いられる。前記第一タイマーは、該Ｖ５インターフェース接続が起動されると共に、第一タイミング周期により、時間計測を開始し、且つ第一タイミング検出モジュールを含む。前記第一検出モジュールは、前記アクセスノードが第一タイミング周期において変量とインターフェース識別子情報とを受信するかどうかを検出し、且つ前記Ｖ５インターフェース接続が成功するかどうかを検出する。前記第一タイミング検出モジュールは、前記アクセスノードが前記変量と前記インターフェース識別子情報とを受信しなかった時に、前記第一タイマーがタイムアウトするかどうかを検出することに用いられる。
【０００６】
本発明のＶ５インターフェース接続を起動する方法は、ローカル交換機に接続するアクセスノードに用いられる。該方法は、Ｖ５インターフェース接続を起動するステップと、第一タイマーを起動し、第一タイミング周期により、時間計測を開始するステップと、前記アクセスノードが変量とインターフェース識別子情報とを受信するかどうかを検出するステップと、前記変量と前記インターフェース識別子情報とを受信しなかった時に、前記第一タイマーがタイムアウトするかどうかを検出するステップと、前記第一タイマーがタイムアウトしなかったら、前記Ｖ５インターフェース接続が成功するかどうかを検出するステップと、前記Ｖ５インターフェース接続が成功しなかったら、前記第一タイマーがタイムアウトするかどうかを続けて検出するステップとを含む。
【発明の効果】
【０００７】
本発明に係るアクセスノード及びＶ５インターフェース接続を起動する方法は、第一タイマーを用いて前記Ｖ５インターフェース接続の起動をコントロールすることにより、アクセスノードとローカル交換機の間の接続を成功裏に起動することを確保できる。
【発明を実施するための最良の形態】
【０００８】
図１は、本発明のアクセスノード１０の応用環境図である。ユーザー端末３０は、アクセスノード１０を介して、ローカル交換機２０に接続される。前記ローカル交換機２０と前記アクセスノード１０は、Ｖ５インターフェース接続を介して接続される。
【０００９】
図２は、本発明の実施形態のアクセスノード１０の概略図である。前記アクセスノード１０は、Ｖ５インターフェース１００と、第一タイマー１０２と、第二タイマー１０４と、第一検出モジュール１０６と、第二検出モジュール１０８と、第三検出モジュール１１０と、情報処理モジュール１１２と、タイマー再起動モジュール１１４と、を含む。
【００１０】
前記Ｖ５インターフェース１００は、前記アクセスノード１０と前記ローカル交換機２０の間のＶ５インターフェース接続を起動することに用いられる。
【００１１】
前記第一タイマー１０２は、前記Ｖ５インターフェース接続を起動すると共に、第一タイミング周期により、時間計測を開始することに用いられる。前記第一タイマー１０２は、第一タイミング検出モジュール１０２１を含む。該第一検出モジュール１０２１は、前記第一タイマー１０２がタイムアウトするかどうかを検出することに用いられる。本実施形態において、第一タイミング周期は、１９０秒である。
【００１２】
前記第二タイマー１０４は、第二タイミング周期により、時間計測を開始することに用いられる。該第二タイマー１０４は、第二タイミング検出モジュール１０４１を含む。該第二検出モジュール１０４１は、前記第二タイマー１０４がタイムアウトするかどうかを検出することに用いられる。本実施形態において、第二タイミング周期は、３０秒である。
【００１３】
前記第一検出モジュール１０６は、前記第一タイマー１０２がスターティングされた場合に、前記アクセスノード１０が前記ローカル交換機２０からの変量（Ｖａｒｉａｎｔ）とインターフェース識別子（Ｉｎｔｅｒｆａｃｅ  ＩＤ）情報とを受信されたかどうかを検出すると共に、第一タイミング周期または第二タイミング周期において前記アクセスノード１０とローカル交換機２０の間の前記Ｖ５インターフェース接続が成功するかどうかを検出することに用いられる。本実施形態において、前記第一検出モジュール１０６は、前記アクセスノード１０にアンブロック完了情報（Ｕｎｂｌｏｃｋ  Ａｌｌ  ｐｏｒｔｓｃｏｍｐｌｅｔｅ）を受信したかどうかを検出することによって、前記アクセスノード１０と前記ローカル交換機２０の間の前記Ｖ５インターフェース接続が成功するかどうかを検出する。
【００１４】
前記第二検出モジュール１０８は、前記第一タイマー１０２または前記第二タイマー１０４がタイムアウトした場合に、前記アクセスノード１０の接続層が正常に作動するかどうかを検出する。
【００１５】
前記第三検出モジュール１１０は、前記アクセスノード１０の接続層が正常に作動する場合に、前記アクセスノード１０がアンブロック完了情報を送信したかどうかを検出することに用いられる。
【００１６】
前記情報処理モジュール１１２は、前記第三検出モジュール１１０の検出結果に従って、情報を送信することに用いられる。本実施形態において、前記第三検出モジュール１１０が前記アクセスノード１０からアンブロック完了情報を送信しなかったことを検出するなら、前記情報処理モジュール１１２は、アンブロック完了情報を形成し、且つ前記アンブロック完了情報を前記ローカル交換機２０に送信する。前記第三検出モジュール１１０が前記アクセスノード１０からアンブロック完了情報を前記ローカル交換機２０に送信したことを検出するなら、前記情報処理モジュール１１２は、再起動を請求する情報を形成し、且つ前記情報を前記ローカル交換機２０に送信する。
【００１７】
前記タイマー再起動モジュール１１４は、前記第一タイマー１０２または第二タイマー１０４を再起動することに用いられる。本実施形態において、前記アクセスノード１０の接続層が正常に作動するかどうかすることは、前記第一タイマー１０２がトリガされ、前記タイマー再起動モジュール１１４は、前記第一タイマー１０２を再起動し、時間計測を開始する。トリガされないと、前記タイマー再起動モジュール１１４は、前記第二タイマー１０４を再起動し、時間計測を開始する。
【００１８】
図３は、本発明の実施形態において、Ｖ５インターフェース接続を起動する方法のフローチャートである。ステップ３００において、Ｖ５インターフェース１００は、アクセスノード１０とローカル交換機２０の間の接続を起動する。
【００１９】
ステップ３０２において、第一タイマー１０２は、第一タイミング周期により、時間計測を開始する。本実施形態において、第一タイミング周期は、１９０秒である。
【００２０】
ステップ３０４において、第一検出モジュール１０６は、アクセスノード１０が変量とインターフェース識別子情報とを受信するかどうかを検出する。
【００２１】
前記アクセスノード１０がインターフェース識別子情報を受信しなかったら、ステップ３０６に進み、第一タイミング検出モジュール１０２１は、前記第一タイマー１０２がタイムアウトするかどうかを検出する。
【００２２】
前記第一タイマー１０２がタイムアウトしなかったら、ステップ３０８に進み、前記第一検出モジュール１０６は、前記アクセスノード１０とローカル交換機２０の間の前記Ｖ５インターフェース接続が成功するかどうかを検出する。本実施形態において、前記第一検出モジュール１０６は、前記アクセスノード１０がアンブロック完了情報を受信したかどうかを検出することによって、前記アクセスノード１０と前記ローカル交換機２０の間の前記Ｖ５インターフェース接続が成功するかどうかを検出する。
【００２３】
前記アクセスノード１０と前記ローカル交換機２０の間の前記Ｖ５インターフェース接続が成功したら、ステップ３１０に進み、第一タイマー１０２が時間計測を停止する。
【００２４】
前記アクセスノード１０と前記ローカル交換機２０の間の前記Ｖ５インターフェース接続が成功しなかったら、ステップ３０６に進み、前記第一検出モジュール１０２１は、前記第一タイマー１０２がタイムアウトするかどうかを続けて検出する。
【００２５】
ステップ３０６において、前記第一タイマー１０２がタイムアウトしたら、ステップ３１２に進み、第二検出モジュール１０８は、前記アクセスノード１０の接続層が正常に作動するかどうかを検出する。
【００２６】
前記アクセスノード１０の接続層が正常に作動したら、ステップ３１４に進み、第三検出モジュール１１０は、前記アクセスノード１０がアンブロック完了情報を前記ローカル交換機２０に送信したかどうかを検出する。
【００２７】
前記アクセスノード１０がアンブロック完了情報を前記ローカル交換機２０に送信したら、ステップ３１６に進み、情報処理モジュール１１２は、再起動を請求する情報を形成し、且つ前記情報を前記ローカル交換機２０に送信する。その後、ステップ３０２に進み、前記タイマー再起動モジュール１１４が前記第一タイマー１０２を再起動し、時間計測を開始する。
【００２８】
前記アクセスノード１０がアンブロック完了情報を前記ローカル交換機２０に送信しなかったら、ステップ３１８に進み、前記情報処理モジュール１１２は、アンブロック完了情報を形成し、且つ前記アンブロック完了情報を前記ローカル交換機２０に送信する。ステップ３０２に進み、前記タイマー再起動モジュール１１４が前記第一タイマー１０２を再起動し、時間計測を開始する。
【００２９】
ステップ３１２において、前記アクセスノード１０の接続層が正常に作動できなければ、ステップ３０２に進み、前記タイマー再起動モジュール１１４が前記第一タイマー１０２を再起動し、時間計測を開始する。
【００３０】
また、ステップ３０４において、前記アクセスノード１０が変量とインターフェース識別子情報を受信したら、ノードＡに入り込む。
【００３１】
図４は、図３におけるノードＡの続きのフローチャートである。
【００３２】
ステップ４００において、前記第一タイマー１０２は、時間計測を停止する。
【００３３】
ステップ４０２において、第二タイマー１０４は、第二タイミング周期により、時間計測を開始する。本実施形態において、第二タイミング周期は、３０秒である。
【００３４】
ステップ４０４において、第二検出モジュール１０４１は、前記第二タイマー１０４がタイムアウトするかどうかを検出する。
【００３５】
前記第二タイマー１０４がタイムアウトしなかったら、ステップ４０６に進み、前記第一検出モジュール１０６は、前記アクセスノード１０とローカル交換機２０の間の前記Ｖ５インターフェース接続が成功するかどうかを検出する。本実施形態において、第一検出モジュール１０６は、前記アクセスノード１０がアンブロック完了情報を受信したかどうかを検出することによって、前記アクセスノード１０と前記ローカル交換機２０の間の前記Ｖ５インターフェース接続が成功するかどうかを検出する。
【００３６】
前記アクセスノード１０と前記ローカル交換機２０との前記Ｖ５インターフェース接続が成功したら、ステップ４０８に進み、第二イマー１０４が時間計測を停止する。
【００３７】
前記アクセスノード１０と前記ローカル交換機２０の間の前記Ｖ５インターフェース接続が成功しなければ、ステップ４０４に進み、前記第二タイミング検出モジュール１０４１は、前記第二タイマー１０４がタイムアウトするかどうかを続けて検出する。
【００３８】
ステップ４０４において、前記第二タイマー１０４がタイムアウトしたら、ステップ４１０に進み、前記第二検出モジュール１０８は、前記アクセスノード１０の接続層が正常に作動するかどうかを検出する。
【００３９】
前記アクセスノード１０の接続層が正常に作動したら、ステップ４１２に進み、第三検出モジュール１１０は、前記アクセスノード１０がアンブロック完了情報を前記ローカル交換機２０に送信したかどうかを検出する。
【００４０】
前記アクセスノード１０がアンブロック完了情報を前記ローカル交換機２０に送信したら、ステップ４１４に進み、前記情報処理モジュール１１２は、再起動を請求する情報を形成し、且つ前記情報を前記ローカル交換機２０に送信する。その後、ステップ４０２に進み、前記タイマー再起動モジュール１１４は、前記第二タイマー１０４を再起動し、第二タイミング周期により、時間計測を開始する。
【００４１】
前記アクセスノード１０がアンブロック完了情報を前記ローカル交換機２０に送信しなかったら、ステップ４１６に進み、前記情報処理モジュール１１２は、アンブロック完了情報を形成し、且つ前記アンブロック完了情報を前記ローカル交換機２０に送信する。その後、ステップ４０２に進み、前記タイマー再起動モジュール１１４は、前記第二タイマー１０４を再起動し、第二タイミング周期により、時間計測を開始する。
【００４２】
本発明の実施形態から提供されたアクセスノード１０及びＶ５インターフェース接続を起動する方法は、前記第一タイマー１０２と前記第二タイマー１０４を用いて前記Ｖ５インターフェース接続の起動をコントロールすることにより、前記アクセスノード１０と前記ローカル交換機２０の間の接続が成功裏に起動することを確保できる。
【図面の簡単な説明】
【００４３】
【図１】本発明のアクセスノードの応用環境図である。
【図２】本発明の実施形態のアクセスノードの概略図である。
【図３】本発明の実施形態において、Ｖ５インターフェース接続を起動する方法のフローチャートである。
【図４】図３におけるノードＡの後ろのフローチャートである。
【符号の説明】
【００４４】
１０  アクセスノード
２０  ローカル交換機
３０  ユーザー端末
１００  Ｖ５インターフェース
１０２  第一タイマー
１０４  第二タイマー
１０６  第一検出モジュール
１０８  第二検出モジュール
１１０  第三検出モジュール
１１２  情報処理モジュール
１１４  タイマー再起動モジュール
１０２１  第一タイミング検出モジュール
１０４１  第二タイミング検出モジュール
【図１】
2007300635.tif 000003
【図２】
2007300635.tif 000004
【図３】
2007300635.tif 000005
【図４】
2007300635.tif 000006